(57)【特許請求の範囲】
【請求項１】
椅子であって、
使用者が着座可能な着座面を有する着座部と、
前記着座部を支持する柱状の支持部であって、当該椅子が設置される設置面に配置される基部に設けられる回転軸を中心として回転可能に構成され、さらに、前方に回転して略水平に倒れた状態となり、前記着座部が相対的に前記設置面に接近した第１位置と、後方に回転して略鉛直に起き上がった状態となり、前記着座部が相対的に前記設置面から離れた第２位置と、に変位可能に構成された支持部と、
前記支持部に対して変位可能に前記支持部に連結され、当該椅子の使用者が肘を置くことができる肘掛面を有する肘掛部と、
前記肘掛部に連接され、容器を保持する容器保持部と、を備え、
前記容器保持部は、前記容器を収容可能である収容空間を形成し、かつ、前記容器を前記収容空間に挿入するための開口を形成する保持部材を有しており、
前記保持部材は、前記容器保持部における前記肘掛部と連接する部分よりも、前記収容空間に収容された前記容器を抜き取る場合に該容器を移動させる方向である抜取方向に向かって突出する形状である、椅子。
【請求項２】
椅子であって、
使用者が着座可能な着座面を有する着座部と、
前記着座部を支持するとともに、当該椅子が設置される設置面に配置される基部に設けられる回転軸を中心として回転して、前記着座部が相対的に前記設置面に接近した第１位置と、前記着座部が相対的に前記設置面から離れた第２位置と、に変位可能に構成された支持部と、
前記支持部に対して変位可能に前記支持部に連結され、当該椅子の使用者が肘を置くことができる肘掛面を有する肘掛部と、
前記肘掛部に連接され、容器を保持する容器保持部と、を備え、
前記容器保持部は、前記容器を収容可能である収容空間を形成し、かつ、前記容器を前記収容空間に挿入するための開口を形成する保持部材を有しており、
前記保持部材は、前記容器保持部における前記肘掛部と連接する部分よりも、前記収容空間に収容された前記容器を抜き取る場合に該容器を移動させる方向である抜取方向に向かって突出する形状であり、
前記容器保持部は、前記肘掛部の前方に位置する端部に連接されており、また、前記容器保持部の下方かつ前方に位置する端部に、下方に向かって後方に傾斜する傾斜面が形成されている、椅子。
【請求項３】
椅子であって、
使用者が着座可能な着座面を有する着座部と、
前記着座部を支持するとともに、当該椅子が設置される設置面に配置される基部に設けられる回転軸を中心として回転して、前記着座部が相対的に前記設置面に接近した第１位置と、前記着座部が相対的に前記設置面から離れた第２位置と、に変位可能に構成された支持部と、
前記支持部に対して変位可能に前記支持部に連結され、当該椅子の使用者が肘を置くことができる肘掛面を有する肘掛部と、
前記肘掛部に連接され、容器を保持する容器保持部と、を備え、
前記容器保持部は、前記容器を収容可能である収容空間を形成し、かつ、前記容器を前記収容空間に挿入するための開口を形成する保持部材を有しており、
前記保持部材は、前記容器保持部における前記肘掛部と連接する部分よりも、前記収容空間に収容された前記容器を抜き取る場合に該容器を移動させる方向である抜取方向に向かって突出する形状であり、
前記保持部材は、第１壁部と、前記第１壁部に対して前記肘掛部の長さ方向に間隔を空けて配置される第２壁部とを有しており、
前記肘掛部の幅方向に関する前記第１壁部の長さ、及び、前記幅方向に関する前記第２壁部の長さは、前記収容空間に収容可能である前記容器の径よりも短い、椅子。
【請求項４】
椅子であって、
使用者が着座可能な着座面を有する着座部と、
前記着座部を支持する柱状の支持部であって、当該椅子が設置される設置面に配置される基部に設けられる回転軸を中心として回転可能に構成され、さらに、前方に回転して倒れた状態となり、前記支持部全体が相対的に前記設置面に接近した第１位置と、後方に回転して起き上がった状態となり、前記支持部全体が相対的に前記設置面から離れた第２位置と、に変位可能に構成された前記支持部と、
前記支持部に対して変位可能に前記支持部に連結され、当該椅子の使用者が肘を置くことができる肘掛面を有する肘掛部と、
前記肘掛部に連接され、容器を保持する容器保持部と、を備え、
前記容器保持部は、前記容器を収容可能である収容空間を形成し、かつ、前記容器を前記収容空間に挿入するための開口を形成する保持部材を有しており、
前記保持部材は、前記容器保持部における前記肘掛部と連接する部分よりも、前記収容空間に収容された前記容器を抜き取る場合に該容器を移動させる方向である抜取方向に向かって突出する形状である、椅子。
【請求項５】
椅子であって、
使用者が着座可能な着座面を有する着座部と、
前記着座部を支持する支持部であって、当該椅子が設置される設置面に配置される基部に設けられる回転軸を中心として回転可能に構成される支持部と、
前記支持部に対して変位可能に前記支持部に連結され、当該椅子の使用者が肘を置くことができる肘掛面を有する肘掛部と、
前記肘掛部に連接され、容器を保持する容器保持部と、を備え、
前記支持部は、前方に回転して倒れた状態となり、前記肘掛部が相対的に前記設置面に接近した第１位置と、後方に回転して起き上がった状態となり、前記肘掛部が相対的に前記設置面から離れた第２位置と、に変位可能に構成され、
前記容器保持部は、前記容器を収容可能である収容空間を形成し、かつ、前記容器を前記収容空間に挿入するための開口を形成する保持部材を有しており、
前記保持部材は、前記容器保持部における前記肘掛部と連接する部分よりも、前記収容空間に収容された前記容器を抜き取る場合に該容器を移動させる方向である抜取方向に向かって突出する形状である、椅子。
【請求項６】
請求項１から請求項５までのいずれか１項に記載の椅子であって、
前記容器保持部は、前記肘掛部に設けられる回転軸を中心に回転可能に連接されている、椅子。
【請求項７】
請求項１から請求項６までのいずれか１項に記載の椅子であって、
前記肘掛部は、前記肘掛面の拡がる方向に関してスライド可能に構成されている、椅子。
【発明の詳細な説明】
【技術分野】
【０００１】
本発明は、飲料などを保持する容器を収容可能である容器保持部を備える椅子に関する。
【背景技術】
【０００２】
従来、特許文献１に示すように、折り畳み可能である椅子に対して、容器保持部であるカップホルダーを設けたものがある。このカップホルダーは、肘掛けの後方にカップホルダーが取り付けられており、そのカップホルダーが取り付けられた椅子の後方に設けられた椅子の使用者が使用するように構成されている。
【先行技術文献】
【特許文献】
【０００３】
【特許文献１】特開２０００−７９０３５号公報
【発明の概要】
【発明が解決しようとする課題】
【０００４】
特許文献１に記載のカップホルダーは、肘掛けの後方にカップホルダーが取り付けられているため、当該椅子の使用者がそのカップホルダーが使用されていることを認識することが難しく、カップホルダーに収容されたカップと接触してしまい易い。
【０００５】
肘掛けの前方にカップホルダーを取り付けるとそのような問題は生じない。しかしながら、椅子全体を前方に倒したときにカップホルダーが床面と接触し易くなり、カップホルダー自身や床面を傷つけてしまうおそれがある。
【０００６】
本発明の目的は、破損の発生を抑制できる容器保持部を備える椅子を提案することである。
【課題を解決するための手段】
【０００７】
本開示の一態様は、椅子であって、使用者が着座可能な着座面を有する着座部と、前記着座部を支持するとともに、当該椅子が設置される設置面に配置される基部に設けられる回転軸を中心として回転して、前記着座部が相対的に前記設置面に接近した第１位置と、前記着座部が相対的に前記設置面から離れた第２位置と、に変位可能に構成された支持部と、前記支持部に対して変位可能に前記支持部に連結され、当該椅子の使用者が肘を置くことができる肘掛面を有する肘掛部と、前記肘掛部に連接され、容器を保持する容器保持部と、を備え、前記容器保持部は、前記容器を収容可能である収容空間を形成し、かつ、前記容器を前記収容空間に挿入するための開口を形成する保持部材を有しており、前記保持部材は、前記容器保持部における前記肘掛部と連接する部分よりも、前記収容空間に収容された前記容器を抜き取る場合に該容器を移動させる方向である抜取方向に向かって突出する形状である、椅子である。
【０００８】
このような構成であれば、保持部材が、容器保持部における肘掛部と連接する部分よりも抜取方向に向かって突出する形状となっているため、支持部を第１位置に移動させたときに、保持部材が当該椅子の設置面や設置面に置かれた物に接触しにくくなる。その結果、支持部を第１位置に移動させたときに、保持部材や設置面、及び設置面に置かれた物が破損してしまうことを抑制できる。
【０００９】
上述した椅子において、前記容器保持部は、前記肘掛部の前方に位置する端部に連接さ
れており、また、前記容器保持部の下方かつ前方に位置する端部に、下方に向かって後方に傾斜する傾斜面が形成されていてもよい。
【００１０】
このような構成であれば、傾斜面により容器保持部の角が面取りされた状態となっているため、容器保持部や設置面などの破損を抑制することができる。
また、上述した椅子において、前記保持部材は、前記肘掛部の長さ方向に間隔を空けた第１壁部と第２壁部とを有するように構成されており、前記肘掛部の幅方向に関する前記第１壁部及び前記第２壁部の長さは、前記収容空間に収容可能である前記容器の径よりも短くなるように構成されていてもよい。
【００１１】
このような構成であれば、間隔を空けて設けられた第１壁部及び第２壁部の幅が、収容可能な容器の径よりも小さくなるため、容器保持部の全体の幅を小さく形成することができる。
【００１２】
また、上述した椅子において、前記容器保持部は、前記肘掛部に設けられる回転軸を中心に回転可能に連接されていてもよいし、前記肘掛部は、前記肘掛面の拡がる方向に関してスライド可能に構成されていてもよい。
【００１３】
このような構成であれば、容器保持部を移動させることができるため、容器保持部が設置面に接触しにくくすることができる。
【図面の簡単な説明】
【００１４】
【図１】図１Ａが、椅子が使用状態にある場合の側面図であり、図１Ｂが、椅子が折り畳まれた状態であって支持部が第１位置のときと第２位置のときとを示す側面図である。
【図２】図２Ａが、椅子が複数並んだ状態の平面図であり、図２Ｂが、椅子が複数並んだ状態の正面図であり、図２Ｃが、椅子が複数並んだ状態の背面図である。
【図３】図３Ａが、肘掛部及び容器保持部の側面図であり、図３Ｂが、肘掛部及び容器保持部の正面図であり、図３Ｃが、肘掛部及び容器保持部の平面図であり、図３Ｄが、肘掛部及び容器保持部の底面図である。
【図４】図４Ａが、図３ＤのＩＶＡ−ＩＶＡ断面図であり、図４Ｂが、図３ＡのＩＶＢ−ＩＶＢ断面図であり、図４Ｃが、図３ＡのＩＶＣ−ＩＶＣ断面図であり、図４Ｄが、図３ＤのＩＶＤ−ＩＶＤ断面図である。
【図５】肘掛部及び容器保持部の変形例を説明する側面図である。
【図６】肘掛部及び容器保持部の変形例を説明する側面図である。
【発明を実施するための形態】
【００１５】
以下に本発明の実施形態を図面と共に説明する。
［１．実施形態］
［１−１．全体構成］
本実施形態の椅子１は、図１Ａ、図１Ｂ、及び図２Ａ〜図２Ｃに示されるように、着座部１１と、支持部１３と、肘掛部１５と、容器保持部１７と、を備える。なお本実施形態の椅子１のように、背もたれ１９を備えていてもよい。
【００１６】
この椅子１は、左右方向に複数並べて連結された状態で配置されている。なお、このように複数の椅子１を連結させた構成は本発明の一例であって、椅子１が単独で用いられる構成であってもよい。なお、左右方向及び後述する前後方向とは、椅子１に着席した使用者を基準とした方向である。
【００１７】
着座部１１は、使用者が着座可能な着座面１１ａを有する。
支持部１３は、柱状の部材であって、着座部１１が間に位置する位置関係で左右一対に
設けられている。この一対の支持部１３は、着座部１１を支持するとともに、椅子１が設置される設置面２に配置される基部３に設けられる回転軸４を中心として回転する。
【００１８】
そしてこの支持部１３は、図１Ｂに破線で示されるように、支持部１３が倒れた状態であって、着座部１１が相対的に設置面２に接近した第１位置と、図１Ｂに実線で示されるように、支持部１３が起き上がった状態であって、着座部１１が相対的に設置面２から離れた第２位置と、に変位可能に構成されている。
【００１９】
なお、一対の支持部１３の回転軸４を中心とした回転は、図示しないモーター等の駆動力に回転軸４が回転されることにより実現されるが、その回転を手動で実行する構成であってもよい。
【００２０】
一対の支持部１３のうち、隣接する椅子１の側に存在する支持部１３は、その隣接する椅子１と共有される。
また一対の支持部１３は、左右方向に延びる回転軸２１を備えており、回転軸２１により着座部１１を回転可能に支持している。
【００２１】
肘掛部１５は、当該椅子１の使用者が肘を置くことができる肘掛面１５ａを有する板状の部材であって、支持部１３に対して変位可能に支持部１３に連結されている。支持部１３は、回転軸４から間隔を空けた位置に、左右方向に延びる回転軸２３を備えており、回転軸２３により肘掛部１５を回転可能に支持している。
【００２２】
容器保持部１７は、肘掛部１５に連接されている。容器保持部１７の詳細は後述する。
背もたれ１９は、その下端が着座部１１の後端部に設けられた回転軸２５を介して着座部１１に対して回転可能に連結される。また背もたれ１９は、リンク部材２９を介して、支持部１３に連結されている。リンク部材２９は、一端が回転軸２３に回転可能に連結され、他端が背もたれ１９の上下方向中央付近に設けられた回転軸２７に回転可能に連結されている。
【００２３】
なお、肘掛部１５とリンク部材２９とは一体に構成されているため、リンク部材２９の移動に伴って肘掛部１５も移動する。
以上説明したように着座部１１、支持部１３、肘掛部１５、及び背もたれ１９が構成されているため、着座部１１と肘掛部１５と背もたれ１９とは連動する。即ち、図１Ａに示されるように、支持部１３が第２位置にある場合において、着座部１１の着座面１１ａが略水平となる状態では、肘掛部１５の肘掛面１５ａは前後に拡がる状態となり、背もたれ１９は上端が後に傾いた状態となる。この状態において、使用者は椅子１に着席することができる。以下の説明においては、この図１Ａの状態を、使用状態とも記載する。着座面１１ａ及び肘掛面１５ａは、水平に近い角度であれば使用者が適切に使用することができるが、水平から１５度程度までの範囲において傾斜した状態となっていてもよい。
【００２４】
一方、図１Ｂに実線で示すように、支持部１３が第２位置にある場合において、着座部１１の着座面１１ａが略鉛直となる状態では、肘掛部１５の肘掛面１５ａは上下に拡がる状態となり、背もたれ１９は上端が前に移動して略鉛直に拡がる状態となる。
【００２５】
［１−２．容器保持部の構成］
続いて、図３Ａ〜図３Ｄ、及び図４Ａ〜図４Ｄを用いて容器保持部１７の構成を説明する。なおこの項で記載される容器保持部１７の形状に関する方向は、図１Ａに示される椅子１のように、肘掛面１５ａが前後に拡がり使用者が肘を置くことができる状態に肘掛部１５があるときの方向である。
【００２６】
容器保持部１７は、容器７を保持可能に形成されている。ここでいう容器とは、飲料や食品等を入れることができる器であって、例えばコップ形状の容器が該当する。しかしながら容器はそのような形状に限定されず、様々な形状や素材を採用することができる。
【００２７】
この容器保持部１７は、肘掛部１５の前方に位置する端部に連接されている。容器保持部１７は、底部４１と、肘掛部１５の長さ方向（即ち、略前後方向）に間隔を空けた２箇所に設けられ、底部４１の周縁部から上方に延び出す第１壁部３１Ｆ及び第２壁部３１Ｒと、を有する。なお以下の説明では、第１壁部３１Ｆ及び第２壁部３１Ｒの両方を指す場合に、単に壁部３１と記載する。この壁部３１が、保持部材の一例である。
【００２８】
壁部３１は、底部４１とも協働して、上述した容器を収容可能である収容空間３３を形成し、かつ、上方に、容器を収容空間３３に挿入するための開口３５を形成する。即ち容器保持部１７は、底部４１、第１壁部３１Ｆ及び第２壁部３１Ｒにより容器を保持する。
【００２９】
底部４１は容器保持部１７の下端に位置しており、上下に貫通する半円状の貫通穴４５が２つ形成されている。また、容器保持部１７の下方かつ前方に位置する端部に、下方に向かって後方に傾斜する傾斜面４７が形成されている。
【００３０】
上述した壁部３１は、容器保持部１７における肘掛部１５と連接する部分よりも、収容空間３３に収容された容器を抜き取る場合に該容器を移動させる方向である抜取方向に向かって突出する形状である。抜取方向は、椅子１が図１Ａの使用状態にあるときには上方向である。
【００３１】
第１壁部３１Ｆは、底部４１側の下側壁５１Ｆと、延び出した側の上側壁５３Ｆと、を有している。また第２壁部３１Ｒも同様に、底部４１側の下側壁５１Ｒと、延び出した側の上側壁５３Ｒと、を有している。
【００３２】
下側壁５１Ｆ及び下側壁５１Ｒの内側面は、上方から見て、同一の円の円周上に位置する円弧状である。また上側壁５３Ｆ及び上側壁５３Ｒの内側面は、上方から見て、上述した円と同心であり、その円よりも半径が大きい円の円周上に位置する円弧状である。つまり、第１壁部３１Ｆ及び第２壁部３１Ｒは、略円筒形の収容空間を形成するが、下側はその半径が上側よりも小さくなっている。なお、上側及び下側ともに、上方に向かって徐々に半径が広くなるように形成されている。
【００３３】
なお、容器保持部１７は、肘掛部１５の幅方向（即ち、使用者から見て左右方向）に関する長さが、肘掛部１５よりも僅かに長い一定の長さに定められている。そしてその長さは、上述した上側壁５３Ｆ、５３Ｒの内側面が位置する円の直径よりも短い。
【００３４】
壁部３１が上記のように構成されているため、第１壁部３１Ｆ及び第２壁部３１Ｒのうち、少なくとも上側壁５３Ｆ及び上側壁５３Ｒの肘掛部１５の幅方向に関する長さは、それらによって構成される収容空間３３に収容可能である容器の径よりも短いものとなる。
【００３５】
容器保持部１７は、底部４１の側面であって、第２壁部３１Ｒの下端となる部分において、肘掛部１５に連接されている。つまり容器保持部１７における肘掛部１５と連接する部分は、容器の収容空間３３への挿入方向に関して、開口３５よりも奥側に位置する。
【００３６】
［１−３．効果］
以上詳述した実施形態によれば、以下の効果が得られる。
（１ａ）椅子１では、壁部３１が、容器保持部１７における肘掛部１５と連接する部分よりも抜取方向に向かって突出する形状となっている。支持部１３が第１位置に移動した
ときには、容器保持部１７は、上記抜取方向とは反対側の部分が設置面２に接近するが、壁部３１が抜取方向に突出していることから、壁部３１が椅子１の設置面２や設置面２上に置かれた物に接触しにくい。よって、容器保持部１７や設置面２、設置面２に置かれた物などが破損してしまうことを抑制できる。
【００３７】
（１ｂ）椅子１では、容器保持部１７に傾斜面４７が形成されており、容器保持部１７が設置面２に接近した場合には、傾斜面４７が最も設置面２に接近する。そして、傾斜面４７によって容器保持部１７の角が面取りされた状態となっている。そのため、容器保持部１７が設置面２等に接触した場合に、容器保持部１７の破損を抑制することができる。
【００３８】
（１ｃ）椅子１では、間隔を空けて設けられた第１壁部３１Ｆ及び第２壁部３１Ｒの幅が、収容可能な容器の径よりも小さい。よって、容器保持部１７全体の幅を小さく形成することができる。また第１壁部３１Ｆ及び第２壁部３１Ｒの間に間隔があることから、例えば把手のついたカップも仕切部に把手が干渉することなく収容することができる。
【００３９】
［２．その他の実施形態］
以上本発明の実施形態について説明したが、本発明は、上記実施形態に何ら限定されることはなく、本発明の技術的範囲に属する限り種々の形態をとり得ることはいうまでもない。
【００４０】
（２ａ）椅子１の構成は上述した実施形態の構成に限定されない。例えば、上記実施形態では、着座部１１、背もたれ、肘掛部１５が支持部１３に対して変位可能である構成を例示したが、それらの全部又は一部が支持部１３に対して変位不能に構成されていてもよい。
【００４１】
また、椅子１に上記実施形態では記載していない他の要素が付加されていてもよい。
また、基部３は設置面２に対して移動可能に構成されていてもよいし、設置面２に一体に構成されていてもよい。
【００４２】
また肘掛部１５は、支持部１３に直接的に取り付けられておらず、他の部品を介して間接的に固定されていてもよい。肘掛部１５は、少なくとも、支持部１３が第１位置から第２位置へと変位する移動に従って移動するように構成されていればよい。
【００４３】
また肘掛部１５の支持部１３に対する変位は、着座部１１などの変位に追従せず、個別に実現される構成であってもよい。
なお、肘掛部１５が着座部１１などの変位に追従しない構成では、肘掛部１５が前後方向に拡がる状態で支持部１３を第１位置へ移動させると、肘掛部１５が設置面２に接触しやすくなる可能性がある。しかしながら、容器保持部１７は壁部３１が下方に突出しておらず、また傾斜面４７が形成されていることから、そのような場合でも破損を抑制することができる。
【００４４】
（２ｂ）容器保持部１７の構成は、上記実施形態の構成に限定されるものではなく、様々な構成とすることができる。
例えば、壁部３１の一部が肘掛部１５よりも下に突出していても良い。壁部３１の少なくとも一部が肘掛部１５よりも上方に配置されることで、破損を抑制することができるようになる。なお、肘掛部１５よりも下に突出する部分は小さくすることが望ましい。
【００４５】
また容器保持部１７は肘掛部１５の前端以外の位置に設けられていても良い。
また、保持部材の一例として壁部３１を例示したが、保持部材は壁部３１の構成に限定されない。
【００４６】
例えば、壁部３１は前後に分離して設けられていなくともよい。例えば、略筒状であってもよい。また、容器を側面から保持できるものであれば、壁部３１とは異なる形状であってもよい。例えば、底部４１から上方向に延びる複数の柱状又は板状の部材によって収容空間３３が形成されるように構成されていてもよい。
【００４７】
（２ｃ）上記実施形態では、傾斜面４７が平面形状である構成を例示したが、傾斜面４７はその全部又は一部が曲面形状であってもよい。また、容器保持部は、傾斜面が設けられていない構成であってもよい。
【００４８】
（２ｄ）容器保持部は、肘掛部に対して変位するように構成されていてもよい。例えば図５に示されるように、容器保持部６１は、肘掛部６３に設けられる回転軸６５を中心に回転可能に構成されていてもよい。回転軸６５は、肘掛部６３の幅方向に延びる軸である。容器保持部６１は、図示しないストッパにより、図５の実線で示す位置から下方には回転しないように構成されている。
【００４９】
このように構成された容器保持部６１であれば、図５の破線で示す位置に変位することで、支持部１３が第１位置へ変位したときに容器保持部６１が設置面２に接触しにくくなる。また容器保持部６１が変位することで設置面２に接触したときの衝撃を吸収することができ、容器保持部６１などの破損を抑制することができる。
【００５０】
（２ｅ）図６に示されるように、肘掛部７１及び容器保持部７３は、肘掛面７１ａの拡がる方向にスライド可能に構成されていてもよい。図６の例では、肘掛部７１は、支持部１３に回転可能に取り付けられた支持台部７５に対して略前後方向にスライドする。なおスライドを実現するための具体的な構成は特に限定されず、公知の様々な構成を採用することができる。
【００５１】
このように構成されていれば、肘掛部７１を後方にスライドさせておくことで、支持部１３が第１位置へ変位したときに容器保持部７３が設置面２に接触しにくくなる。また、肘掛部７１が前方にスライドした状態で容器保持部７３が設置面２などに接触したときには、肘掛部７１が後方にスライドすることで接触したときの衝撃を吸収することができ、容器保持部７３などの破損を抑制することができる。
【００５２】
（２ｆ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００５３】
１…椅子、２…設置面、３…基部、７…容器、１１…着座部、１１ａ…着座面、１３…支持部、１５…肘掛部、１５ａ…肘掛面、１７…容器保持部、３１…壁部、３１Ｆ…第１壁部、３１Ｒ…第２壁部、３３…収容空間、３５…開口
【図１】
0006708446.tif 000002
【図２】
0006708446.tif 000003
【図３】
0006708446.tif 000004
【図４】
0006708446.tif 000005
【図５】
0006708446.tif 000006
【図６】
0006708446.tif 000007